(57)【要約】【課題】光学ベースに対するフォワードセンサの位置を後面側から容易に微調整できるようにした光ピックアップを提供すること。【解決手段】レーザビームを出射するレーザダイオード１１，１２を搭載した光学ベースに、レーザビームの光量を感知するフォワードセンサ３６も搭載する。フォワードセンサ３６の搭載にはセンサホルダ３７を用いる。センサホルダは、レーザビームの光軸に交差する方向でフォワードセンサを可動に保持する。このセンサホルダには、フォワードセンサの受光面とは反対側の後面３６ｂに対向した操作穴６１ｄ，６２ｃを設け、この操作穴を通してセンサホルダに対するフォワードセンサの位置を微調整できるようにした。【選択図】        図１
2004303312.tif 000002
【特許請求の範囲】
【請求項１】
光学ベースと、前記光学ベースに搭載され、レーザビームを出射する発光装置と、前記レーザビームの光量を感知するフォワードセンサとを含む光ピックアップであって、前記光学ベースに取り付けられかつ前記レーザビームの光軸に交差する方向で前記フォワードセンサを可動に保持したセンサホルダを含み、前記センサホルダは操作穴を有し、前記操作穴を通して前記センサホルダに対する前記フォワードセンサの位置を微調整できるようにしたことを特徴とする光ピックアップ。
【請求項２】
前記センサホルダは、前記フォワードセンサをスライド可能にガイドするガイド部材と、前記ガイド部材を前記光学ベースに係止させる係止部材とを有する請求項１に記載の光ピックアップ。
【請求項３】
前記ガイド部材は前記フォワードセンサの後面に対向した後板部を有し、前記係止部材は前記後板部に対向した受板部を有し、前記後板部は貫通穴を有し、前記受板部は前記貫通穴に対向した貫通窓を有し、前記貫通穴及び前記貫通窓が合せて前記操作穴を構成する請求項２に記載の光ピックアップ。
【請求項４】
前記フォワードセンサは前記受光面に凸部を有し、前記ガイド部は前記凸部を受け入れるＵ字状切り込みを形成した前板部を有する請求項２又は３に記載の光ピックアップ。
【請求項５】
前記光学ベースは、前記センサホルダを実装するためのホルダ実装領域を規定する壁部を有し、前記壁部は前記操作穴に対向した開放部を有している請求項１−４のいずれかに記載の光ピックアップ。
【請求項６】
前記光学ベースは前記ホルダ実装領域に溝部を有し、前記センサホルダは前記溝部に挿入配置されている請求項５に記載の光ピックアップ。
【発明の詳細な説明】
【０００１】
【発明の属する技術分野】
本発明は、光ディスクドライブに用いられ、光ディスクにレーザビームを照射してデータを記録・再生する光ピックアップに関し、特に、レーザビームの光量をモニタするためのフロントモニタ装置の取付け構造に関する。
【０００２】
【従来の技術】
最近のパーソナルコンピュータ等の電子機器には光ディスクドライブが搭載されることが多い。光ディスクドライブに使用可能な光学的記録媒体としてＣＤ（ＣＤ−Ｒ、ＣＤ−ＲＷ、ＣＤ−ＲＯＭ、及びオーディオＣＤ等を含む）及びＤＶＤ（ＤＶＤ−ＲＯＭ、ＤＶＤ±Ｒ，ＤＶＤ±ＲＷ、ＤＶＤ−ＲＡＭ等を含む）が知られている。ＣＤ及びＤＶＤをここでは纏めて光ディスクと呼ぶ。
【０００３】
このような光ディスクにデータを記録したり再生したりするために、光ディスクドライブは光ピックアップを備えている。その光ピックアップは、光ディスクの径方向に移動可能な光学ベースと、この光学ベースに保持された発光装置、受光装置、及び光学系とを備えている。発光装置はレーザビームを出射するためのものである。受光装置は光ディスクからの反射光を受光するためのものである。光学系は、発光装置からのレーザビーム若しくは光ディスクからの反射光をガイドする。
【０００４】
使用されるレーザビームに必要とされる光量は、光ディスクがＣＤであるかＤＶＤであるかによって異なり、また記録時であるか再生時であるかによっても異なる。必要とされる光量を確実に得るには、その光量をモニタしてそのモニタ結果を発光装置にフィードバックする必要がある。そこで、光学系を通過したレーザビームの光量をモニタするフロントモニタ装置を備えた光ピックアップが提案されている。フロントモニタ装置はレーザビームの光量を感知するフォワードセンサを含んでいる。発光装置、受光装置、及び光学系と同様に、フォワードセンサも光学ベースに組み付けられる。
【０００５】
【特許文献１】
特開２００２−９２９２９号
【０００６】
【発明が解決しようとする課題】
この種の光ピックアップにおいては、フォワードセンサの光軸を光学系の光軸に一致させる必要がある。しかし、実際の各部品は寸法誤差を含むため、設計どおりにフォワードセンサの光軸が光学系の光軸に一致するとは限らない。そのため、フォワードセンサを光学ベースに組み付ける際にその位置を微調整できることが好ましい。しかも、フォワードセンサは前面が受光面となるため、その前面に工具を当てて位置を調整する構造は避けなければならない。
【０００７】
それ故に本発明の課題は、光学ベースに対するフォワードセンサの位置を後面側から容易に微調整できるようにした光ピックアップを提供することにある。
【０００８】
【課題を解決するための手段】
本発明の実施の一態様によれば、光学ベース（５０）と、前記光学ベースに搭載され、レーザビームを出射する発光装置（１１，１２）と、前記レーザビームの光量を感知するフォワードセンサ（３６）とを含む光ピックアップであって、前記光学ベースに取り付けられかつ前記レーザビームの光軸に交差する方向で前記フォワードセンサを可動に保持したセンサホルダ（３７）を含み、前記センサホルダは操作穴（６１ｄ，６２ｃ）を有し、前記操作穴を通して前記センサホルダに対する前記フォワードセンサの位置を微調整できるようにしたことを特徴とする光ピックアップが得られる。
【０００９】
前記センサホルダは、前記フォワードセンサをスライド可能にガイドするガイド部材（６１）と、前記ガイド部材を前記光学ベースに係止させる係止部材（６２）とを有してもよい。
【００１０】
前記ガイド部材は前記フォワードセンサの後面に対向した後板部（６１ｂ）を有し、前記係止部材は前記後板部に対向した受板部（６２ａ）を有し、前記後板部は貫通穴（６１ｂ）を有し、前記受板部は前記貫通穴に対向した貫通窓（６２ｃ）を有し、前記貫通穴及び前記貫通窓が合せて前記操作穴を構成してもよい。
【００１１】
前記フォワードセンサは前記受光面に凸部（３６ｅ）を有し、前記ガイド部は前記凸部を受け入れるＵ字状切り込み（６１ｃ）を形成した前板部（６１ａ）を有してもよい。
【００１２】
前記光学ベースは、前記センサホルダを実装するためのホルダ実装領域（５３）を規定する壁部（５４，５５）を有し、前記壁部は前記操作穴に対向した開放部（６３）を有していてもよい。
【００１３】
前記光学ベースは前記ホルダ実装領域に溝部（５６，５７）を有し、前記センサホルダは前記溝部に挿入配置されていてもよい。
【００１４】
尚、上記括弧内の参照符号は、理解を容易にするために付したものであり、一例にすぎず、これらに限定されないのは勿論である。
【００１５】
【発明の実施の形態】
図１を参照して、本発明の実施の形態に係る光ピックアップについて説明する。
【００１６】
周知のように、光ディスクドライブの一種であるＤＶＤドライブにおいては、ＤＶＤとＣＤとのいずれに対しても記録・再生可能にするために特別の光ピックアップが搭載されたものが存在している。そのような特別の光ピックアップは、ＤＶＤ用の短波長レーザビーム（波長約６５０ｎｍ）とＣＤ用の長波長レーザビーム（波長約７８０ｎｍ）との２種類のレーザビームを使い分けて記録・再生を行なうものであり、２波長対応光ピックアップと呼ばれている。
【００１７】
図１の光ピックアップは２波長対応光ピックアップと呼ばれるものであり、第１の波長を持つ第１のレーザビームを出射する発光装置としてのＤＶＤ（ディジタルビデオディスク）用の第１のレーザダイオード１１と、第１の波長とは異なる第２の波長を持つ第２のレーザビームを出射する発光装置としてのＣＤ（コンパクトディスク）用の第２のレーザダイオード１２と、第１および第２の回折格子（グレーティング）１６および１７と、カップリングレンズ１９と、第１および第２の波長選択偏光ビームスプリッタ２１および２２と、広帯域１／４波長板２４と、全反射ミラー２６と、コリメータレンズ２８と、対物レンズ３０と、検出レンズ３２と、受光素子（光検出器）３４とを備えている。これらの部品は全て、共通の光学ベースに取り付けれらる。
【００１８】
第１の回折格子１６、第１の波長選択偏光ビームスプリッタ２１、広帯域１／４波長板２４、全反射ミラー２６、コリメータレンズ２８、対物レンズ３０、第２の波長選択偏光ビームスプリッタ２２、および検出レンズ３２の組み合わせは、第１のレーザダイオード１１から出射された第１のレーザビームを光ディスク４０側へ導くとともに、この光ディスク４０側から反射された第１の戻り光を透過して光検出器３４へ導く第１の光学系として働く。同様に、カップリングレンズ１９、第２の回折格子１７、第２の波長選択偏光ビームスプリッタ２２、第１の波長選択偏光ビームスプリッタ２１、広帯域１／４波長板２４、全反射ミラー（立上げミラー）２６、コリメータレンズ２８、対物レンズ３０、および検出レンズ３２の組み合わせは、第２のレーザダイオード１２から出射された第２のレーザビームを光ディスク４０Ａ側へ導くとともに、この光ディスク４０Ａ側から反射された第２の戻り光を透過して光検出器３４へ導く第２の光学系として働く。
【００１９】
次に、各光学要素の作用（働き）について説明する。
【００２０】
第１のレーザダイオード１１は、第１の波長としてＤＶＤ用の波長約６５０ｎｍを持つ第１のレーザビームを出射するレーザダイオードである。第１の回折格子１６は、第１のレーザダイオード１１から出射された１本の第１のレーザビームを３本のレーザビーム（中央の光束とその両側の２本の光束）に分離するためのものである。
【００２１】
第２のレーザダイオード１２は、第２の波長としてＣＤ用の波長約７８０ｎｍを持つ第２のレーザビームを出射するレーザダイオードである。第２の回折格子１７は、第２のレーザダイオード１２から出射された１本の第２のレーザビームを３本のレーザビーム（中央の光束とその両側の２本の光束）に分離するためのものである。カップリングレンズ１９は、焦点距離を調節するためのものである。
【００２２】
第１の波長選択偏光ビームスプリッタ２１は、第１の回折格子１６を介して入射した３本の第１のレーザビームを反射すると共に、光ディスク４０からの反射光を透過するためのものである。同様に、第２の波長選択偏光ビームスプリッタ２２は、第２の回折格子１７を介して入射した３本の第２のレーザビームを反射透過すると共に、光ディスク４０又は４０Ａからの反射光を透過するためのものである。尚、第１の波長選択偏光ビームスプリッタ２１は、第２の波長選択偏光ビームスプリッタ２２から反射されたレーザビームを透過して、コリメータレンズ２８側へ出射する機能をも果たす。
【００２３】
とにかく、第１および第２の波長選択偏光ビームスプリッタ２１および２２の組み合わせは、第１のレーザダイオード１１から出射された第１のレーザビーム又は第２のレーザダイオード１２から出射された第２のレーザビームを同一の光軸上へ反射する光軸一致手段として働く。
【００２４】
広帯域１／４波長板２４は、直線偏光と円偏光との間で偏光方向を変える手段として働く。全反射ミラー２６は、広帯域１／４波長板２４からのレーザビームを直角に折り曲げて反射するためのものである。コリメータレンズ２８は、全反射ミラー２６で反射されたレーザビームを平行光に変換するためのものである。対物レンズ３０はコリメータレンズ２８からの平行光を光ディスク４０又は４０Ａ上へ照射するためのものである。
【００２５】
尚、光ディスク４０又は４０Ａで反射された反射光（戻り光）は、後述するように、検出レンズ３２を介して光検出器３４で受光される。
【００２６】
ここで、第１の波長選択偏光ビームスプリッタ２１は、波長約６５０ｎｍの光に対してはＳ偏光を反射し、Ｐ偏光を透過する特性を持つが、波長約７８０ｎｍの光に対しては偏光方向に関係なく透過率１００％相当の特性を持っている。一方、第２の波長選択偏光ビームスプリッタ２２は、波長約６５０ｎｍの光に対しては偏光方向に関係なく透過率１００％相当の透過率の特性を持っているが、波長約７８０ｎｍの光に対してはＳ偏光を反射し、Ｐ偏光を透過する特性を持っている。
【００２７】
次に、図１に示した２波長対応光ピックアップの動作について説明する。
【００２８】
最初に、光ディスクとしてＤＶＤ４０を使用した場合について説明する。光ディスクがＤＶＤ４０である場合、第１のレーザダイオード（ＤＶＤ−ＬＤ）１１のみが動作状態に置かれ、第２のレーザダイオード（ＣＤ−ＬＤ）１２は非動作状態に置かれる。したがって、第１のレーザダイオード１１のみが第１のレーザビームを出射している。また、この技術分野で周知のように、２波長対応光ピックアップは、書込みモードと再生モードとのいずれか一方のモードで動作する。
【００２９】
第１のレーザダイオード１１から出射された直線偏光（Ｓ偏光）の第１のレーザビームは、第１の回折格子１６を通り、ここでトラッキング制御及びフォーカス制御を行うために３本のレーザビームに分離される。その後、第１の波長選択偏光ビームスプリッタ２１に入射する。この第１の波長選択偏光ビームスプリッタ２１に入射したＳ偏光の第１のレーザビームは、その光路が９０°曲げられる（すなわち、反射される）。この第１の波長選択偏光ビームスプリッタ２１で反射されたＳ偏光の第１のレーザビームは、広帯域１／４波長板２４を透過し、ここで、直線偏光（Ｓ偏光）から円偏光に変換される。この円偏光の第１のレーザビームは、全反射ミラー２６で上部方向に反射される。この全反射ミラー２６を反射したレーザビームは、コリメータレンズ２８を透過すると、発散光であったレーザビームが平行光にされて、対物レンズ３０に入射する。この対物レンズ３０を透過したレーザビームは、ここで収束されて、光ディスク（ＤＶＤ）４０の記録面に照射される（集光される）。
【００３０】
この光ディスク（ＤＶＤ）４０の記録面からの反射光（第１の戻り光）は、対物レンズＯＬを通過し、コリメータレンズ２８を透過した後、収束光になる。この収束光は、全反射ミラー２６で反射された後、再度、広帯域１／４波長板２４を通ることで、円偏光が直線偏光（Ｐ偏光）に変換される。このＰ偏光は、第１の波長選択偏光ビームスプリッタ２１を透過する。この第１の波長選択偏光ビームスプリッタ２１を透過したＰ偏光は、第２の波長選択偏光ビームスプリッタ２２および検出レンズ３２を透過した後、光検出器３４に集光する（で受光される）。
【００３１】
次に、光ディスクとしてＣＤ４０Ａを使用した場合について説明する。光ディスクがＣＤ４０Ａである場合、第２のレーザダイオード１２のみが動作状態に置かれ、第１のレーザダイオード１１は非動作状態に置かれる。したがって、第２のレーザダイオード１２のみが第２のレーザビームを出射している。
【００３２】
ＣＤ用の第２のレーザダイオード１２から出射された直線偏光（Ｓ偏光）の第２のレーザビームは、カップリングレンズ１９を透過し、第２の回折格子１７でトラッキング制御及びフォーカス制御を行うために３本のレーザビームに分離された後、第２の波長選択偏光ビームスプリッタ２２に入射する。この第２の波長選択偏光ビームスプリッタ２２に入射したＳ偏光の第２のレーザビームは、その光路が９０°曲げられる（すなわち、反射される）。第２の波長選択偏光ビームスプリッタ２２で反射された第２のレーザビームは、第１の波長選択偏光ビームスプリッタ２１を透過し、広帯域１／４波長板２４を透過し、ここで、直線偏光（Ｓ偏光）から円偏光に変換される。この円偏光の第２のレーザビームは、全反射ミラー２６で上部方向に反射される。この全反射ミラー２６を反射したレーザビームは、コリメータレンズ２８を透過すると、発散光であったレーザビームが平行光にされて、対物レンズ３０に入射する。この対物レンズ３０を透過したレーザビームは、ここで収束されて、光ディスク（ＣＤ）４０Ａの記録面に照射される（集光される）。
【００３３】
この光ディスク（ＣＤ）４０Ａの記録面からの反射光（第２の戻り光）は、鉛直下方向へ進み、対物レンズ３０を通過し、コリメータレンズ２８を透過した後、収束光になる。この収束光は、全反射ミラー２６で反射され、再度、広帯域１／４波長板２４を通ることで、円偏光が直線偏光（Ｐ偏光）に変換される。このＰ偏光は、第１および第２の波長選択偏光ビームスプリッタ２１および２２を透過する。この第２の波長選択偏光ビームスプリッタ２２を透過したレーザビームは、検出レンズ３２を透過した後、光検出器３４に集光する（で受光される）。
【００３４】
ＤＶＤ４０およびＣＤ４０Ａに対して再生のみならず記録を行う場合には、対物レンズ３０先のスポットサイズの最適化は勿論のこと、記録に必要な対物レンズ３０先の光量を確保する必要があり、光学系も独立して最適化させる必要がある。
【００３５】
さらに、図１の光ピックアップは、第１及び第２のレーザダイオード１１，１２から出射される第１及び第２のレーザビームの光量をモニタし、そのモニタの結果を第１及び第２のレーザダイオード１１，１２にフィードバックするフロントモニタ装置を備えている。フロントモニタ装置は、光学系の一部品である全反射ミラー２６を透過したレーザビームの光量を感知するフォワードセンサ３６を含んでいる。フォワードセンサ３６はセンサホルダ３７を用いて上述の光学ベースに取り付けられる。後述するように、センサホルダ３７は、レーザビームの光軸に交差する方向で、フォワードセンサ３６を光学ベースに可動に保持させるものである。
【００３６】
図２及び図３を参照して、光学ベースについて説明する。
【００３７】
光学ベースは全体を参照符号５０で示され、光ディスクドライブの固定ガイド棒（図示せず）にスライド可能に嵌合するガイド孔５１を有している。こうして光学ベース５０は光ディスクの径方向で移動可能にされる。図１に示した第１及び第２のレーザダイオード１１，１２、第１および第２の回折格子１６，１７、カップリングレンズ１９、第１および第２の波長選択偏光ビームスプリッタ２１，２２、広帯域１／４波長板２４、全反射ミラー２６、コリメータレンズ２８、対物レンズ３０、検出レンズ３２、および受光素子３４は全て光学ベース５０に搭載される。
【００３８】
さらに、光学ベース５０の対物レンズを取り付けるための対物レンズ搭載部５２の近傍にホルダ実装領域５３を設ける。ホルダ実装領域５３には、フォワードセンサ３６を保持したセンサホルダ３７を実装する。なお、ホルダ実装領域５３は、間隔をおいて対向した対の壁部５４，５５間に、互いに直角をなす第１および第２の溝部５６，５７の結合として形成されている。
【００３９】
図２及び図３と共に図４−図６をも参照して、フォワードセンサ３６およびセンサホルダ３７について説明する。
【００４０】
フォワードセンサ３６は、受光面即ち前面３６ａと、これとは反対側の後面３６ｂと、側面から引き出された入出力端子３６ｃ，３６ｄとを有している。後面３６ｂは平坦面であるが、前面３６ａには凸部３６ｅが形成されている。なお、前面３６ａと後面３６ｂは互いに平行である。
【００４１】
センサホルダ３７は、フォワードセンサ３６をスライド可能にガイドするガイド部材６１と、ガイド部材６１を光学ベース５０に係止させる係止部材６２とを有している。ガイド部材６１は光学ベース５０の第１の溝部５６に配置されるものであり、フォワードセンサ３６の前面３６ａに対向する前板部６１ａと、後面３６ｂに対向する後板部６１ｂとを有している。フォワードセンサ３６は前板部６１ａと後板部６１ｂとの間にスライド可能に配置される。前板部６１ａには、フォワードセンサ３６の凸部３６ｅを受け入れるＵ字状切り込み６１ｃが形成されている。後板部６１ｂには貫通穴６１ｄが形成されている。
【００４２】
係止部材６２は、光学ベース５０の第１の溝部５６に配置される受板部６２ａと、第２の溝部５７に配置される圧入部６２ｂとを一体に有している。受板部６２ａは、ガイド部材６１の貫通穴６１ｄに対向する貫通窓６２ｃを有し、かつ光学ベース５０の壁部５４に圧接する圧接片６２ｄを備えている。圧入部６２ｂは第２の溝部５７に圧入される部分であり、光学ベース５０の壁部に係合する係止片６２ｅを備えている。
【００４３】
上述した貫通穴５１ｄ及び貫通窓６２ｃが合せて操作穴を構成し、この操作穴に棒状工具（図示せず）を挿し込み、センサホルダ３７に対するフォワードセンサ３６の位置を微調整できるようにしている。棒状工具の挿し込み及び操作を容易にするため、光学ベース５０には上述した操作穴に対向した位置に開放部６３が形成されている。
【００４４】
次に、光学センサ５０に対するフォワードセンサ３６の組み付け作業について説明する。
【００４５】
まず、フォワードセンサ３６をガイド部材６１の前板部６１ａと後板部６１ｂとの間に挿入する。その際、フォワードセンサ３６の凸部３６ｅを前板部６１ａのＵ字状切り込み６１ｃに挿入する。この状態で、ガイド部材６１を光学ベース５０の第１の溝部５６に配置する。その際、フォワードセンサ３６の凸部３６ｅを光学ベース５０のＵ字部５８に配置する。
【００４６】
次いで、係止部材６２を光学ベース５０の第１および第２の溝部５６，５７に挿入する。その際、受板部６２ａを光学ベース５０の壁部５４とガイド部材６１の後板部６１ｂとの間に差し込む。この結果、受板部６２ａの圧接片６２ｂがバネ片として働いて光学ベース５０の壁部５４に圧接し、ガイド部材６１を壁部５５に押し付けることになる。これにより、フォワードセンサ３６はガイド部材６１の前板部６１ａと後板部６１ｂとの間に挟持される。一方、圧入部６２ｂは第２の溝部５６に差し込まれ、係止片６２ｅにより光学ベース５０に係止される。こうして、係止部材６２は光学ベース５０に固定され、その係止板部６２ｆによりガイド部材６１の離脱を係止する。こうして、フォワードセンサ３６は光学ベース５０にスライド可能に保持される。
【００４７】
上記実施例では、係止部材６２とガイド部材６１とは別部材とされているが、図７、図８に示すように係止部材６２を省略し、ガイド部材６１のみで光学ベース５０上に固定するようにしても良い。図７，図８ではガイド部材６１の後板部６１ｄの略中央部分に、壁部５４に向かって大きく突出した係止部が一体に設けられている。フォワードセンサ３６はガイド部材６１の前板部６１ａと後板部６１ｄに設けられた係止部６１ｅとによって、壁部５４，５５の間に軽圧入されて光学ベース５０上にスライド可能に保持される。
【００４８】
この光ピックアップによると、上述した開放部６３および操作穴に棒状工具を挿し込み、フォワードセンサ３６の後面３６ｂに押し当てて適当に操作することで、フォワードセンサ３６をスライドさせてその位置を微調整することが容易に可能である。
【００４９】
なお、記録密度の異なる２種類の光ディスクとしては、例えばＤＶＤとＢｌｕｅ−ｒａｙ、ＣＤとＢｌｕｅ−ｒａｙ等の組み合わせであってもよい。光学的記録媒体（光ディスク）は垂直（鉛直）に置かれても良いのは勿論である。また、上述では２波長対応光ピックアップについて説明したが、１波長対応光ピックアップにおいても同様に実施できることは言うまでもない。
【００５０】
【発明の効果】
以上の説明から明らかなように、本発明によれば、光学ベースに対するフォワードセンサの位置を後面側から容易に微調整できるようにした光ピックアップを提供することができる。
【図面の簡単な説明】
【図１】本発明の実施の態様に係る光ピックアップとしての２波長対応光ピックアップの光学系のシステム構成図である。
【図２】図１の２波長対応光光ピックアップに使用される光学ベースの斜視図である。
【図３】図２の光学ベースの平面図である。
【図４】図１の２波長対応光光ピックアップに使用されるフォワードセンサとセンサホルダとの組合せの一例を示す斜視図である。
【図５】図４のフォワードセンサとセンサホルダとを一方向から見た分解斜視図である。
【図６】図４のフォワードセンサとセンサホルダとを他方向から見た分解斜視図である。
【図７】図１の２波長対応光光ピックアップに使用されるフォワードセンサとセンサホルダとの組合せの他例を示す斜視図である。
【図８】図７のフォワードセンサとセンサホルダとを一方向から見た分解斜視図である。
【符号の説明】
１１  第１のレーザダイオード
１２  第２のレーザダイオード
１６  第１の回折格子
１７  第２の回折格子
１９  カップリングレンズ
２１  第１の波長選択偏光ビームスプリッタ
２２  第２の波長選択偏光ビームスプリッタ
２４  広帯域１／４波長板
２６  全反射ミラー
２８  コリメータレンズ
３０  対物レンズ
３２  検出レンズ
３４  受光素子
３６  フォワードセンサ
３６ａ  前面
３６ｂ  後面
３６ｃ，３６ｄ  入出力端子
３６ｅ  凸部
３７  センサホルダ
４０  光ディスク（ＤＶＤ）
４０Ａ  光ディスク（ＣＤ）
５０  光学ベース
５１  ガイド孔
５２  対物レンズ搭載部
５３  ホルダ実装領域
５４，５５  壁部
５６  第１の溝部
５７  第２の溝部
６１  ガイド部材
６１ａ  前板部
６１ｂ  後板部
６１ｃ  Ｕ字状切り込み
６１ｄ  貫通穴
６１ｅ  係止部
６２  係止部材
６２ａ  受板部
６２ｂ  圧入部
６２ｃ  貫通窓
６２ｄ  圧接片
６２ｅ  係止片
６２ｆ  係止板部
６３  開放部
【図１】
2004303312.tif 000003
【図２】
2004303312.tif 000004
【図３】
2004303312.tif 000005
【図４】
2004303312.tif 000006
【図５】
2004303312.tif 000007
【図６】
2004303312.tif 000008
【図７】
2004303312.tif 000009
【図８】
2004303312.tif 000010